(57)【要約】      （修正有）【課題】鉄塔の中間部に配設され、昇塔作業時に作業者が踊場として使用可能な、確実に営巣を防止する開閉式踊場を提供する。【解決手段】鉄塔に配設される開閉式踊場１であって、板状で、鉄塔に連結される一端部を中心に回動自在で、開いた状態では板面が鉄塔から水平方向に張り出して踊場として使用可能で、閉じた状態では板面が鉄塔に沿うように収納される床板２と、床板２を閉じると外方に突出するように配設された鳥獣忌避手段５、７と、を備えた。【選択図】図１
2014091965.tif 000002
【特許請求の範囲】
【請求項１】
鉄塔に配設される開閉式踊場であって、
板状で、前記鉄塔に連結される一端部を中心に回動自在で、開いた状態では板面が前記鉄塔から水平方向に張り出して踊場として使用可能で、閉じた状態では板面が前記鉄塔に沿うように収納される床板と、
前記床板を閉じると外方に突出するように配設された鳥獣忌避手段と、
を備える、
ことを特徴とする開閉式踊場。
【請求項２】
前記床板を閉じた状態で、前記床板を前記鉄塔側に仮固定する仮固定手段、
を備えることを特徴とする請求項１に記載の開閉式踊場。
【発明の詳細な説明】
【技術分野】
【０００１】
この発明は、鉄塔の中間部に配設され、昇塔作業時に作業者が踊場として使用可能な開閉式踊場に関する。
【背景技術】
【０００２】
送電線が架線される鉄塔には、点検や保守を含む作業のために作業者が昇塔することがある。昇塔作業は足場が不安定な状態で長時間にわたる場合があるので、鉄塔の中間部に踊場が形成されており、作業者が休憩できるようになっている。ところが、踊場は、鉄塔から水平方向に張り出しているため、例えば、踊場の床板や踊場と鉄塔との間にカラスを含む鳥獣が営巣することがある。市街地に建設された鉄塔では、踊場が住宅の上階近くに位置する場合があるため、鳥獣による騒音や悪臭によって近隣住民に不快感を与えてしまうおそれがあった。
【０００３】
踊場への営巣を防止するため、例えば、針金状の突起物のような鳥獣忌避手段を配設したとしても、設置数が不十分である場合には、十分な効果が得られずに営巣されるおそれがある。また、踊場に鳥獣忌避手段を配設したとしても、時間の経過とともに鳥獣が慣れてしまい効果が得られなくなり、営巣されるおそれがある。また、営巣された巣を撤去したとしても、営巣期間中であれば再度営巣されてしまうことが多く、撤去を繰り返し行う必要がある。
【０００４】
そこで、塔柱の外周を取り囲む床板と、床板を支持する支持材と、手摺から構成し、床板を塔柱の円周方向に複数に分割し、分割床板のうち任意の数の分割床板をヒンジ部材により外側枠材に取付け、上方向に開閉可能とする送電用鋼管柱鉄塔の中間踊場構造に関する技術が提案されている（例えば、特許文献１参照。）。また、工事などの際に、格納されている複数本の支持棹を、鉄塔リングの周囲方向へ展開させ、隣接する支持棹の間に足場材を掛け渡して足場を形成し、作業終了時には各支持棹を立て掛けて格納する通信アンテナ用鉄塔の格納式足場に関する技術が提案されている（例えば、特許文献２参照。）。これらの技術はいずれも、作業時に、踊場（足場）を形成し、作業終了時は、踊場（足場）を収納するものである。
【先行技術文献】
【特許文献】
【０００５】
【特許文献１】特開２００９−２１５８１６号公報
【特許文献２】特開２０１０−１２６９５９号公報
【発明の概要】
【発明が解決しようとする課題】
【０００６】
たしかに、特許文献１、２に記載された技術はいずれも、作業時以外は踊場（足場）を収納することにより、営巣を防止することが可能である。しかしながら、収納した状態の踊場（足場）であっても鉄塔の部材よりも突出するため小枝や草を含む営巣材が引っ掛かりやすくなっており、営巣されるおそれがある。
【０００７】
そこで、この発明は、前記の課題を解決し、より確実に営巣を防止する開閉式踊場を提供することを目的としている。
【課題を解決するための手段】
【０００８】
前記の課題を解決するために、請求項１に記載の発明は、鉄塔に配設される開閉式踊場であって、板状で、前記鉄塔に連結される一端部を中心に回動自在で、開いた状態では板面が前記鉄塔から水平方向に張り出して踊場として使用可能で、閉じた状態では板面が前記鉄塔に沿うように収納される床板と、前記床板を閉じると外方に突出するように配設された鳥獣忌避手段と、を備える、ことを特徴とする開閉式踊場である。
【０００９】
この発明によれば、床板は鉄塔に連結される一端部を中心に回動自在であり、床板を開いた状態では、鉄塔から水平方向に張り出して踊場として使用される。また、床板を閉じると、鳥獣忌避手段が外方に突出するように配設されている。
【００１０】
請求項２に記載の発明は、請求項１に記載された開閉式踊場において、床板を閉じた状態で、前記床板を前記鉄塔側に仮固定する仮固定手段、を備えることを特徴とする。
【発明の効果】
【００１１】
請求項１に記載の発明によれば、床板は鉄塔に連結される一端部を中心に回動自在となっているため、床板を開いた状態では、鉄塔から水平方向に張り出して踊場として使用できる。また、床板を閉じた状態では、鉄塔に沿う方向に収納されて平面部がなくなるので、被営巣箇所をなくすことができる。開閉式踊場を使用しない場合は床板を収納するため、昇塔経路が確保されるので、作業者の昇降や資材の運搬を妨げることがない。
【００１２】
また、床板を閉じた状態において、鳥獣忌避手段が外方に突出するように配設されているので、営巣をより確実に防止することができる。すなわち、開閉式踊場の部材と鉄塔との間に営巣されることを防止することができる。これにより、市街地に建設された鉄塔の踊場が住宅の上階近くに位置する場合であっても、近隣住民に営巣による不快感を与えることを防止可能である。また、鳥獣忌避手段は、床板を閉じる操作をするだけで外方に突出するので、特別な操作が不要であり作業の負担を増やすことがない。さらに、鳥獣忌避手段は、床板を閉じたときにのみ外方に突出するように配設されているので、床板を開いて使用している際には邪魔になることがない。
【００１３】
請求項２に記載の発明によれば、仮固定手段によって、床板を閉じた状態で、鉄塔側に仮固定可能である。このため、開閉式踊場を使用しない場合は、確実に収納することができる。
【図面の簡単な説明】
【００１４】
【図１】この発明の実施の形態１に係る開閉式踊場の床板を開いた状態、すなわち、開閉式踊場の使用状態を示す正面図である。
【図２】図１の開閉式踊場の床板を仮固定手段の留具で固定して、チェーンで保持した状態、すなわち、開閉式踊場の収納状態を示す正面図である。
【図３】図１の開閉式踊場の床板を示す平面図である。
【図４】図１の開閉式踊場の床板を仮固定手段で仮固定する方法を説明するための平面図であって、（ａ）床板を仮固定手段で固定する前の状態を示す平面図であり、（ｂ）床板を仮固定手段の留具で固定した状態を示す平面図であり、（ｃ）床板を仮固定手段の留具で固定して、チェーンで保持した状態を示す平面図である。
【図５】図１の開閉式踊場の床板を仮固定手段の留具で固定した状態を示す正面図である。
【図６】図１の開閉式踊場の床板を閉じた状態を示す正面図である。
【図７】図１の開閉式踊場を鉄塔の主材の内側に取り付けた状態を示す正面図である。
【図８】この発明の実施の形態２に係る開閉式踊場の床板の支持枠を示す平面図である。
【図９】図９の開閉式踊場の床板を示す平面図である。
【図１０】この発明の他の実施の形態であって、図１の開閉式踊場を鉄塔の主材の外側に張り出すように取り付けた状態を示す正面図である。
【発明を実施するための形態】
【００１５】
以下、この発明を図示の実施の形態に基づいて説明する。
【００１６】
（実施の形態１）
図１ないし図７は、この実施の形態に係る開閉式踊場１を示している。図７は、この実施の形態に係る開閉式踊場１を鉄塔Ｔの主材ＴＭに取り付けた状態を示す正面図である。ここでは、開閉式踊場１は、主材ＴＭの内側（複数の主材ＴＭで囲まれた空間内）に取り付けられているものとする。開閉式踊場１は、昇塔作業時に作業者が休憩のために足場として使用するものであり、鉄塔Ｔの主材ＴＭに連結される一端部、すなわち、後述するヒンジ４を中心に回動自在、収納可能なものである。つまり、図１、図７に示すように、床板２を開いた状態では、主材ＴＭから水平方向に張り出して踊場として使用可能となり、図２に示すように、床板２を閉じた状態では、主材ＴＭに沿う方向（垂直方向）に収納された状態となる。
【００１７】
開閉式踊場１は、図１に示すように主として、開閉式踊場１と、床板２と、支持手段としての支持フレーム３と、回動手段としてのヒンジ４と、鳥獣忌避手段５、６、７、８と、仮固定手段９とを備えている。
【００１８】
床板２は、図１、図２に示すように、鉄塔Ｔの主材ＴＭに連結される一端部を中心に回動自在なものであり、図３に示すように、主として、枠体２１と、網部２２とを備えている。枠体２１は、４本の枠材によって形成された四角形状のフレームであり、網部２２の外周に適した大きさ、形状に形成されている。網部２２は、枠体２１によって強固に支持されており、作業者の体重を保持可能な強度を有している。また、網部２２の網目の幅２２ｄは、後述する仮固定手段９の水平部９２の幅９２ｄよりも大に設定されており、網部２２の網目を水平部９２の先端部が貫通可能な大きさ、形状に設定されている。さらに、床板２は、閉じた状態から開いた状態へと回動する際は、ゆっくりと開くように設定されている。
【００１９】
支持フレーム３は、図１に示すように、開いた床板２を下側から支持するものであり、図３に示すように、４本の枠材によって形成された四角形状のフレームであり、床板２の外周に適した大きさ、形状に形成されている。すなわち、支持フレーム３が床板２の枠体２１の下側と当接して、床板２を保持するようになっている。支持フレーム３は、図７に示すように、主材ＴＭから水平方向に張り出すように配設されている。具体的には、主材ＴＭから水平方向に張り出すように配設された取付フレームＳを介して、主材ＴＭに配設されている。
【００２０】
ヒンジ４は、図１に示すように主として、固定部４１と、芯棒４２と、羽根板４３とを備えている。固定部４１は、支持フレーム３に固定されている。固定部４１には芯棒４２が配設され、さらに芯棒４２には羽根板４３が回動自在に配設されている。この羽根板４３には、床板２が配設されている。そして、羽根板４３が回動することによって、床板２が回動自在、すなわち、主材ＴＭに対して回動自在となっている。このように、ヒンジ４によって回動自在である床板２は、図１に示すように、開いた状態では主材ＴＭから水平方向に張り出して踊場として使用可能となり、図２に示すように、閉じた状態では主材ＴＭに沿う方向に収納された状態となる。
【００２１】
鳥獣忌避手段５は、図２に示すように、床板２閉じて鉄塔の主材に沿う方向に収納した状態において、外方に突出（露出）するように配設されたものであり、図１に示すように、床板２の下面側に配設されており、主として基端部５１と、針金５２とを備えている。鳥獣忌避手段５は、箱状の基端部５１に複数の針金５２が先端側の間隔が広がるように放射状に配設されている。また、この鳥獣忌避手段５は、床板２を開いた状態では、床板２の下側に位置するようになっている。
【００２２】
鳥獣忌避手段６は、鳥獣忌避手段５と同様に構成されており、図３に示すように床板２に鳥獣忌避手段５から所定間隔をおいて配設されている。鳥獣忌避手段５、６の間隔は、針金５２、６２の先端側が離れすぎず、鳥獣の接近を防止することができるような間隔に設定されている。
【００２３】
鳥獣忌避手段７は、ヒンジ４の芯棒４２に配設されており、床板２の開閉にともなって回動するものであり、図１に示すように主として、基端部７１と、針金７２とを備えている。鳥獣忌避手段７は、アーム状の基端部７１に複数の針金７２が先端側の間隔が広がるように放射状に配設されている。鳥獣忌避手段７は、床板２を開いた状態では、床板２の下側に位置するようになっている。また、鳥獣忌避手段７は、図２に示すように、床板２を閉じて収納した状態において、外方に露出して、支持フレーム３の上方に突出するように配設されている。
【００２４】
鳥獣忌避手段８は、鳥獣忌避手段７と同様に構成されており、図３に示すようにヒンジ４の芯棒４２に鳥獣忌避手段７から所定間隔をおいて配設されている。鳥獣忌避手段７、８の間隔は、針金７２、８２の先端側が離れすぎず、鳥獣の接近を防止することができるような間隔に設定されている。
【００２５】
このような鳥獣忌避手段５、６、７、８は、床板２の開閉にともなって回動するようになっており、図２に示すように、床板２を閉じて収納した状態において、外方（形成される空間部）に突出するように配設されている。
【００２６】
仮固定手段９は、床板２を閉じて鉄塔Ｔに沿う方向に収納した状態において、床板２を主材ＴＭに沿う方向に仮固定可能なものであり、図２に示すように主として、垂直部９１と、水平部９２と、留具９３と、チェーン９４とを備えている。垂直部９１は、一端側がヒンジ４の固定部４１に固定され、上方に延びるように配設されている。水平部９２は、垂直部９１の上端側に配設されており、先端部の外周が床板２の網目の内周よりも小に設定されており、図４（ａ）に示すように、床板２を閉じた際に、水平部９２の先端部が網部２２の網目を貫通可能となっている。この水平部９２の先端側に留具９３が回動自在に配設されている。留具９３の長さは網部２２の網目の大きさによりも大に設定されている。そして、図４（ａ）に示すように、留具９３が水平部９２に沿った状態の場合は、水平部９２の先端部が網部２２の網目を貫通した状態となり、図４（ｂ）に示すように、留具９３が水平部９２に対して角度を有する場合は、留具９３が網部２２の網目に当接することで抜け止めしないようにロックするようになっている。また、チェーン９４は、垂直部９１の上端側に配設されており、水平部９２に対して角度を有する留具９３の上端側を固定することにより、閉じた床板２を固定するようになっている。
【００２７】
次に、このような構成の開閉式踊場１の使用方法および作用について説明する。ここで、開閉式踊場１は、図７に示すように、主材ＴＭの内側（複数の主材ＴＭで囲まれた空間内）に配設されている。また、通常時、すなわち、昇塔作業時以外は、図２に示すように、開閉式踊場１は閉じた状態で収納されている。
【００２８】
作業者が鉄塔Ｔに昇塔し、開閉式踊場１を使用する場合について説明する。まず、作業者は鉄塔Ｔの主材ＴＭに配設されたステップボルトを利用して昇塔する。
【００２９】
そして、開閉式踊場１の配設位置まで到達すると、図２に示すように閉じて収納された開閉式踊場１が、一方の手によって仮固定手段９のチェーン９４が外されて図５に示す状態とされる。つづいて、一方の手によって留具９３が水平部９２に沿うように矢印と反対方向に回動されて図６に示す状態とされる。
【００３０】
これにより、仮固定手段９によるロックが解除されると、図１に示すように、床板２が鳥獣忌避手段５、６の重みによって矢印と反対方向、すなわち、自然に下側に向かって傾倒して開かれる。
【００３１】
このようにして、開閉式踊場１が開いた状態とされて、図１に示すような踊場が主材ＴＭの内側に形成される。このとき、鳥獣忌避手段５、６、７、８は、床板２の下側に位置している。
【００３２】
次に、開閉式踊場１を収納する場合について説明する。まず、作業者は開閉式踊場１上から鉄塔Ｔの主材ＴＭ側に移動する。
【００３３】
そして、図１に示すように、留具９３が水平部９２に沿うように倒れていることが確認された後に、一方の手によって床板２が矢印方向に回動されて仮固定手段９に沿うように閉じられて図６に示す状態とされる。つづいて、留具９３が垂直方向に延びるように矢印方向に回転されて図５に示す状態とされ、チェーン９４によって留具９３が固定されて図２に示す状態とされる。
【００３４】
このようにして、図２に示すように、開閉式踊場１が垂直方向に立ち上がり閉じた状態とされると、それにともなって鳥獣忌避手段５、６、７、８は、形成される空間部に突出した状態とされている。すなわち、鳥獣が、開閉式踊場１の支持フレーム３やヒンジ４に近づくことが確実に防止される。
【００３５】
以上のように、この開閉式踊場１によれば、床板２は鉄塔Ｔに対して回動自在となっているため、床板２を開いた状態では、主材ＴＭから水平方向に張り出して踊場として使用できる。また、床板２を閉じた状態では、主材ＴＭに沿う方向に収納されて平面部がなくなるので、被営巣箇所をなくすことができる。さらに、開閉式踊場１を使用しない場合は床板２を収納するため、昇塔経路が確保されるので、作業者の昇降や資材の運搬を妨げることがない。
【００３６】
また、床板２を閉じて主材ＴＭに沿う方向に収納した状態において、鳥獣忌避手段５、６、７、８が外方に突出するように配設されているので、営巣をより確実に防止することができる。これにより、市街地に建設された鉄塔Ｔの踊場が住宅の上階近くに位置する場合であっても、近隣住民に営巣による不快感を与えることを防止可能である。また、鳥獣忌避手段５、６、７、８は、床板２を閉じる操作をするだけで外方に突出するので、特別な操作が不要であり作業の負担を増やすことがない。さらに、鳥獣忌避手段１は、床板２を閉じたときにのみ外方に突出するように配設されているので、床板２を開いて使用している際に邪魔になることがない。
【００３７】
また、仮固定手段９によって、床板２を閉じて収納した状態において、床板２を主材ＴＭに沿う方向に仮固定可能であるので、踊場を使用しない場合は、確実に収納することができる。
【００３８】
さらに、既設の主材ＴＭに変更を加えずに、開閉式踊場１を取り付けることができるため、既設のすべての主材ＴＭに対して、容易に開閉式踊場１を適用することができる。
【００３９】
（実施の形態２）
図８は、この実施の形態に係る開閉式踊場の床板２１０、２２０、２３０を示す平面図であり、図９は、この実施の形態に係る開閉式踊場の支持フレーム３００を示す平面図である。
【００４０】
この実施の形態の開閉式踊場は角部を有し、例えば、鉄塔Ｔの主材ＴＭの一部を囲うような形状に形成される点で、実施の形態１の開閉式踊場１と異なる。このため、実施の形態１と同等の構成については説明を省略し、床板２１０、２２０、２３０および支持フレーム３００は、開閉式踊場１の床板２および支持フレーム３と同等の構成については、同一または対応する符号を付することで、その説明を省略する。
【００４１】
床板２１０、２３０は、図３に示す床板２と同様に構成されている。床板２１０は、枠材２１１ａ側にヒンジ（図示略）が配設されており、上方向に回動自在であり、床板２３０は、枠材２３１ａ側にヒンジ（図示略）が配設されており、上方向に回動自在である。
【００４２】
床板２２０は、図８に示すように、主として、枠体２２１と、網部２２２とを備えている。枠体２２１は、４本の枠材によって形成された台形状のフレームであり、網部２２２の外周に適した大きさ、形状に形成されている。網部２２２は、枠体２２１によって強固に支持されており、作業者の体重を保持可能な強度を有している。床板２２０は、枠材２２１ａ側にヒンジ（図示略）が配設されており、上方向に回動自在である。
【００４３】
支持フレーム３００は、開いた床板２１０、２２０、２３０を下側から支持するためのフレームであり、床板２１０、２２０、２３０を並べて配設するのに適した大きさ、形状に形成されている。具体的には、支持フレーム３００は、枠材によって形成された３つの支持枠３００Ａ、３００Ｂ、３００Ｃを有しており、それぞれ床板２１０、２２０、２３０を支持するようになっている。このような支持フレーム３００は、床板２１０、２２０、２３０の枠体２１１、２２１、２３１の下側と当接して保持可能である。この支持フレーム３００は、主材ＴＭから水平方向に張り出すように配設されている。
【００４４】
このように、ヒンジによってそれぞれ回動自在となっている床板２１０、２２０、２３０を開いた状態では鉄塔Ｔの主材ＴＭの一部を囲うような形状に水平方向に張り出して踊場として使用可能となる。また、床板２１０、２２０、２３０を閉じると垂直方向に立ち上がり収納された状態となる。このとき、床板２１０、２２０、２３０は異なる方向に回動するので、干渉しないようになっている。
【００４５】
このような実施の形態によれば、開閉式踊場は角部を有しており、鉄塔Ｔの主材ＴＭの一部を囲うような形状となるので、平面面積が広くなり、より安全かつ快適に休憩することができる。
【００４６】
以上、この発明の実施の形態について説明したが、具体的な構成は、これらの実施の形態に限られるものではなく、この発明の要旨を逸脱しない範囲の設計の変更等があっても、この発明に含まれる。例えば、開閉式踊場１は、鉄塔Ｔの主材ＴＭの内側に配設するだけではなく、図１０に示すように、開閉式踊場１を鉄塔Ｔの主材ＴＭの外側に張り出すように取り付けてもよい。すなわち、所望の開閉式踊場１の形状に合わせて、床板および支持フレームの形状、数、配置を変えることにより、所望の開閉式踊場１を容易に形成することができる。また、床板２１０、２２０、２３０および支持フレーム３００をさらに連設することにより、例えば鉄塔Ｔの全周に亘って開閉式踊場を配設することが可能である。
【００４７】
また、開閉式踊場１の床板２を開閉する際に、鉄塔Ｔの主材ＴＭや他の部材に接触するような場合であっても、開閉式踊場１は、図１および図１０に示すように配設位置や方向を変更すればよい。すなわち、主材ＴＭに取り付ける配設位置や方向が制限されないので、既設のすべての鉄塔Ｔに配設可能である。
【００４８】
また、仮固定手段９は、床板２を鉄塔Ｔ側に容易に仮固定ができるものであればよい。
【００４９】
さらに、開閉式踊場１は、取付フレームＳを介さずに直接主材ＴＭに取り付けるようにしてもよい。
【００５０】
さらにまた、開閉式踊場１を既設の鉄塔Ｔに取り付けるような場合であってヒンジ４を配設することが出来ない場合は、ヒンジ４を使用せずに床板２を開閉すようにしてもよい。すなわち、支持フレーム３上に載置した床板２を、垂直方向に立ち上げて仮固定手段９のチェーン９４によって垂直部９１に固定するようにしてもよい。このとき、仮固定手段９を複数配設し、複数のチェーン９４によって床板２の複数箇所を固定するようにすることで、より確実に固定することができる。
【符号の説明】
【００５１】
１              開閉式踊場
２              床板
２１            枠体
２２            網部
３              支持フレーム（支持手段）
４              ヒンジ（回動手段）
４１            固定部
４２            芯棒
４３            羽根板
５、６、７、８  鳥獣忌避手段
５              鳥獣忌避手段
９              仮固定手段
Ｔ              鉄塔
ＴＭ            主材
【図１】
2014091965.tif 000003
【図２】
2014091965.tif 000004
【図３】
2014091965.tif 000005
【図４】
2014091965.tif 000006
【図５】
2014091965.tif 000007
【図６】
2014091965.tif 000008
【図７】
2014091965.tif 000009
【図８】
2014091965.tif 000010
【図９】
2014091965.tif 000011
【図１０】
2014091965.tif 000012